(57)【要約】【課題】警告の発生状況を正確に把握することが可能な警報記録システムを提供する。【解決手段】異常が発生した場合に点灯する警報窓１２を複数備えた制御盤１０と、電子計算機２０と、プリンタ３０とを備え、制御盤１０は、設備に異常が発生したか否かを判定する手段と、異常が発生したと判定した場合に、異常が発生した設備に対応する警報窓１２を点灯させる手段と、異常が発生した場合に、計算機に対して、異常が発生した設備に対応する警報窓１２によって報知される警報情報を送信する手段とを備え、電子計算機２０は、警報情報を受信した場合に、警報情報の受信時間を取得し、警報情報及び受信時間に基づいて印字情報を作成し、印字情報をプリンタ３０に送信する。【選択図】図３
2012089091.tif 000002
【特許請求の範囲】
【請求項１】
所定の設備に異常が発生した場合に点灯することによって報知を行う警報窓を複数備えた制御盤と、
当該制御盤との間で送受信を行う計算機と、
当該計算機からの印字情報に基づいて印字を行うプリンタとを備えた警報記録システムにおいて、
前記制御盤は、
設備に異常が発生したか否かを判定する異常判定手段と、
異常が発生したと前記異常判定手段が判定した場合に、異常が発生した設備に対応する前記警報窓を点灯させる警報窓点灯制御手段と、
異常が発生したと前記異常判定手段が判定した場合に、前記計算機に対して、異常が発生した設備に対応する前記警報窓によって報知される警報情報を送信する警報情報出力手段とを備え、
前記計算機は、前記警報情報を受信した場合に、前記警報情報の受信時間を取得し、前記警報情報及び前記警報情報の受信時間に基づいて印字情報を作成し、当該印字情報を前記プリンタに送信することを特徴とする警報記録システム。
【請求項２】
前記警報情報出力手段は、前記異常判定手段の判定結果が異常から正常に切り替わった場合に、前記計算機に対して、異常から正常になった設備に対応する前記警報窓によって報知される警報情報を送信することを特徴とする請求項１記載の警報記録システム。
【請求項３】
前記警報情報出力手段は、前記警報情報に、警告内容のレベルを示す重り付けデータを付加して、前記計算機に送信することを特徴とする請求項１又は２のいずれか１項記載の警報記録システム。
【請求項４】
前記計算機に接続する記憶手段と、
前記計算機から出力される画像表示情報に基づいて画像表示を行う画像表示手段とを備え、
前記計算機は、前記警報情報を受信した場合に、前記警報情報及び前記警報情報の受信時間を前記記憶手段に記憶し、当該記憶手段の記憶内容に基づいて画像表示情報を作成して前記画像表示手段に送信することを特徴とする請求項１乃至３のいずれか１項記載の警報記録システム。
【請求項５】
所定の設備に異常が発生した場合に点灯することによって報知を行う警報窓を複数備えた制御盤と、
当該制御盤からの印字情報に基づいて印字を行うプリンタとを備えた警報記録システムにおいて、
前記制御盤は、
設備に異常が発生したか否かを判定する異常判定手段と、
異常が発生したと前記異常判定手段が判定した場合に、異常が発生した設備に対応する前記警報窓を点灯させる警報窓点灯制御手段と、
異常が発生したと前記異常判定手段が判定した場合に、異常が発生した設備に対応する前記警報窓によって報知される警報情報に基づいて印字情報を作成して、前記プリンタに送信する印字情報出力手段とを備え、
前記プリンタは、前記印字情報を受信した場合に、前記印字情報の受信時間を取得し、前記印字情報及び前記受信時間を印字することを特徴とする警報記録システム。
【発明の詳細な説明】
【技術分野】
【０００１】
本発明は、発電所において、制御盤に表示された警報を記録する警報記録システムに関する。
【背景技術】
【０００２】
従来より、発電所の制御室には、プラント運転操作用の制御盤が設備毎に複数設置されている。この制御盤の盤面には、警報名称が記載された警報窓が多数設けられている。これらの警報窓は、現場の設備に設けられた各種の検知器（例えば、温度計や流量計等）に対応して設けられており、制御盤は、検知器が検知した値が異常であると判断した場合に、警報窓を発光させたり、あるいはブザー音によって異常等を運転員（操作員）に知らせている。
【０００３】
具体的には、発電所の設備に異常が発生すると、該当する警報窓が点滅し、同時に制御盤に設置されている警報発報用のブザーが鳴動することにより運転員に異常が報知される。運転員は、点滅表示している警報窓の警報名称を目視により確認した後、制御盤毎に設置されている警報確認ボタンを押すことにより、その警報が継続中であるかどうかを判断する。警報発報原因が継続中であれば、警報窓は点滅から点灯したままの状態に切り替わり、ブザー音は停止する。
【０００４】
警報発報原因が無くなった警報窓は、ゆっくりした点滅に切り替わり、警報消灯用のブザーが鳴動する。その状態で、運転員が、制御盤毎に設置されている警報リセットボタンを押すことにより、警報は消灯しかつブザー音も停止する。
【０００５】
ところで、従来、警報が発報した時に、運転員は、警報名称や発報時間を記録紙に手書きで記入することによって、記録として残している。しかし、連続して複数の警報が発報した場合、記録よりも警報の対応操作が優先されるために、記録に残せない場合がある。そこで、制御盤上の警報窓をＴＶカメラで撮影し、このＴＶカメラから得られた警報窓の輝度差に基づいて警報データ項目を自動的に保存する、という技術が提案されている（特許文献１）。
【先行技術文献】
【特許文献】
【０００６】
【特許文献１】特開平９−２１１１８６号公報
【発明の概要】
【発明が解決しようとする課題】
【０００７】
しかしながら、特許文献１記載の技術によれば、例えば、ＴＶカメラの撮影画像において、警報窓が運転員によって隠されてしまった場合、あるいは制御室内の反射物による反射光が警報窓に照射された場合等に、警報窓の点灯状態が正確に検出できずに、誤った情報を記憶してしまうおそれがある。
【０００８】
本発明は、このような問題点を解決し、警告の発生状況を正確に把握することが可能な警報記録システムを提供することを目的とする。
【課題を解決するための手段】
【０００９】
本発明は、前記目的を達成するため、次に記載する構成を備えている。
【００１０】
（１）  所定の設備に異常が発生した場合に点灯することによって報知を行う警報窓を複数備えた制御盤と、当該制御盤との間で送受信を行う計算機と、当該計算機からの印字情報に基づいて印字を行うプリンタとを備えた警報記録システムにおいて、前記制御盤は、設備に異常が発生したか否かを判定する異常判定手段と、異常が発生したと前記異常判定手段が判定した場合に、異常が発生した設備に対応する前記警報窓を点灯させる警報窓点灯制御手段と、異常が発生したと前記異常判定手段が判定した場合に、前記計算機に対して、異常が発生した設備に対応する前記警報窓によって報知される警報情報を送信する警報情報出力手段とを備え、前記計算機は、前記警報情報を受信した場合に、前記警報情報の受信時間を取得し、前記警報情報及び前記警報情報の受信時間に基づいて印字情報を作成し、当該印字情報を前記プリンタに送信することを特徴とする警報記録システム。
【００１１】
（１）によれば、制御盤が、設備において異常が発生したと判定した場合に、計算機に警報情報を送信し、計算機は警報情報を受信した時間を取得する。そして、計算機が、警報情報及び受信時間に基づいて印字情報を作成して、プリンタに出力することにより、プリンタから、例えば警報名称と受信時間が印字された記録紙が出力される。これにより、設備において異常が発生した場合に、プリンタから警報情報と受信時間が印字された記録紙が出力されるため、警報の発生状況を正確に把握することが可能になる。
【００１２】
（２）  （１）において、前記警報情報出力手段は、前記異常判定手段の判定結果が異常から正常に切り替わった場合に、前記計算機に対して、異常から正常になった設備に対応する前記警報窓によって報知される警報情報を送信することを特徴とする警報記録システム。
【００１３】
（２）によれば、制御盤が、設備における異常が解消されたと判定した場合に、計算機に警報情報を送信し、計算機は警報情報を受信した時間を取得する。そして、計算機が、警報情報及び受信時間に基づいて印字情報を作成して、プリンタに出力することにより、プリンタから、例えば警報名称と受信時間が印字された記録紙が出力される。これにより、異常が発生した設備が正常に戻るまでの時間を求めることが可能になり、警告の発生状況を正確に把握することが可能になる。
【００１４】
（３）  （１）又は（２）において、前記警報情報出力手段は、前記警報情報に、警告内容のレベルを示す重り付けデータを付加して、前記計算機に送信することを特徴とする警報記録システム。
【００１５】
（３）によれば、計算機が、重り付けデータに基づいて、警報情報を分類することが可能になる。
【００１６】
（４）  （１）〜（３）において、前記計算機に接続する記憶手段と、前記計算機から出力される画像表示情報に基づいて画像表示を行う画像表示手段とを備え、前記計算機は、前記警報情報を受信した場合に、前記警報情報及び前記警報情報の受信時間を前記記憶手段に記憶し、当該記憶手段の記憶内容に基づいて画像表示情報を作成して前記画像表示手段に送信することを特徴とする警報記録システム。
【００１７】
（４）によれば、記憶手段に、警報情報及び受信時間の履歴を取って、画像表示手段に表示させることが可能になる。
【００１８】
（５）  所定の設備に異常が発生した場合に点灯することによって報知を行う警報窓を複数備えた制御盤と、当該制御盤からの印字情報に基づいて印字を行うプリンタとを備えた警報記録システムにおいて、前記制御盤は、設備に異常が発生したか否かを判定する異常判定手段と、異常が発生したと前記異常判定手段が判定した場合に、異常が発生した設備に対応する前記警報窓を点灯させる警報窓点灯制御手段と、異常が発生したと前記異常判定手段が判定した場合に、異常が発生した設備に対応する前記警報窓によって報知される警報情報に基づいて印字情報を作成して、前記プリンタに送信する印字情報出力手段とを備え、前記プリンタは、前記印字情報を受信した場合に、前記印字情報の受信時間を取得し、前記印字情報及び前記受信時間を印字することを特徴とする警報記録システム。
【００１９】
（５）によれば、制御盤は、設備において異常が発生したと判定した場合に、警報情報に基づいて印字情報を作成して、プリンタに出力することにより、プリンタから、例えば警報名称と受信時間が印字された記録紙が出力される。これにより、設備において異常が発生した場合に、プリンタから警報名称と受信時間が印字された記録紙が出力されるため、警告の発生状況を正確に把握することが可能になる。
【発明の効果】
【００２０】
本発明によれば、設備において異常が発生した場合に、プリンタから警報情報と受信時間が印字された記録紙が出力されるため、警告の発生状況を正確に把握することが可能になる。
【図面の簡単な説明】
【００２１】
【図１】本発明の第１実施形態における警報システムの概要を示すブロック図である。
【図２】警報表示部の警報窓の点灯例を示す説明図である。
【図３】本発明の第１実施形態における警報システムにおいて、警報窓点灯状態を記録紙に記録する際の処理の流れを示す説明図である。
【図４】本発明の第１実施形態における警報システムの警報窓点灯状態を記録した記録紙の一例を示す説明図である。
【図５】本発明の第２実施形態における警報システムの概要を示すブロック図である。
【図６】本発明の第２実施形態における警報システムにおいて、警報窓点灯状態を記録紙に記録する際の処理の流れを示す説明図である。
【図７】本発明の第３実施形態における警報システムにおいて、警報窓点灯状態を記録紙に記録する際の処理の流れを示す説明図である。
【発明を実施するための形態】
【００２２】
以下、本発明の実施形態について、図面を参照しながら詳細に説明する。
［第１実施形態］
図１は、本発明の第１実施形態における警報システムの概要を示すブロック図である。
［システム構成］
警報システム１は、中央管理室内に配備されており、複数の制御盤１０、電子計算機２０、プリンタ３０及びディスプレイ４０を備えている。
【００２３】
制御盤１０は、ＣＰＵ１００、警報表示部１０２、警報ブザー１０４、警報確認ボタン１０６、警報リセットボタン１０８、入出力部１１０及び記憶部１１２を備えている。また、制御盤１０には、複数の検知器２００が接続されている。複数の検知器２００としては、例えば、発電所設備の所定場所に設置された、放射線計、温度計、風量計、圧力計、水位計及び水温計等が該当する。また、複数の制御盤１０は、それぞれ系統別に分類されており、制御盤１０の系統に応じた検知器２００が接続されている。
【００２４】
電子計算機２０は、演算装置（図示せず）や記憶装置２２を備えており、電子計算機２０と制御盤１０とは送受信可能に接続されている。また、電子計算機２０は、制御盤１０から送信される情報に基づいて、印字情報を作成してプリンタ３０に印字出力させたり、表示情報を作成してディスプレイ４０に表示させる処理を行う。
【００２５】
［制御盤の構成］
次に、制御盤１０について説明する。
ＣＰＵ１００は、制御盤１０全体の制御を行うものである。
警報表示部１０２は、図２に示すように複数の警報窓１２を備えており、複数の警報窓１２（図２参照）は、点灯、消灯、点滅等の発光が可能な発光体（図示せず）を備えている。また、複数の警報窓１２にはそれぞれ固有番号と警報名称が印されている。図２に示す例においては、図中、「１Ａ」、「１Ｂ」、「１Ｃ」、……、「６Ｆ」、「６Ｇ」という番号が固有番号であり、「□○△温度高」、「□○△温度異常高」、「□●▲温度高」、……、「●▽▲温度異常高」、「●▼温度低」という文字情報が警報名称である。また、警報窓１２と検知器２００とは１対１に対応しており、検知器２００の検知結果に基づいて、ＣＰＵ１００が、検知器２００に対応する警報窓１２の発光制御を行う。具体的には、ＣＰＵ１００が、検知器２００の検知結果に基づいて、設備に異常が発生したと判定した場合には、警報窓１２を発光させて、異常発生の報知を行う。
【００２６】
警報ブザー１０４は、警報表示部１０２におけるいずれかの警報窓１２が発光した場合、及び発光した警報窓１２が消灯する場合に鳴動するものである。
【００２７】
警報確認ボタン１０６は、警報表示部１０２におけるいずれかの警報窓１２が発光した際に押下することにより、警報窓１２の発光状態を保持するものである。
【００２８】
警報リセットボタン１０８は、警報表示部１０２を消灯させ、警報ブザー１０４の鳴動を停止させるためのボタンである。
【００２９】
入出力部１１０は、外部機器に接続して、外部機器との間で送受信を行うものである。また、記憶部１１２は、各検知器２００の状態を記憶する検知結果記憶領域を備えている。ＣＰＵ１００は、検知器２００の検知結果に基づいて、異常であると判断した場合には、記憶部１１２の検知結果記憶領域における、異常であると判断された設備の検知器２００に対応する記憶領域に、異常である旨を示すデータを記憶する。また、ＣＰＵ１００は、検知器２００の検知結果に基づいて、異常であると判断した後に、正常に戻ったと判断した場合には、検知結果記憶領域における、検知器２００に対応する記憶領域に記憶されている異常である旨を示すデータをクリアする。このように、制御盤１０のＣＰＵ１００は、異常判定手段として機能する。ここで、検知器２００と警報窓１２とは１対１に対応していることから、記憶部１１２の検知結果記憶領域における検知器２００に対応する記憶領域と警報窓１２とは１対１に対応している。したがって、記憶部１１２の検知結果記憶領域において、異常である旨を示すデータが記憶されている記憶領域に対応する警報窓１２は点滅又は点灯していることになる。このため、ＣＰＵ１００は、記憶部１１２の検知結果記憶領域を参照することによって、複数の警報窓１２の点灯状況を把握することが可能である。
【００３０】
次に、制御盤１０における警報表示について説明する。
制御盤１０のＣＰＵ１００は、常時、検知器２００の状態を監視する。そして、ＣＰＵ１００は、検知器２００の検知結果に基づいて、異常が発生していると判定した場合には、その旨を記憶部１１２の検知結果記憶領域に記憶する。さらに、ＣＰＵ１００は、検知器２００に対応する警報窓１２を点滅させるとともに、警報ブザー１０４を駆動して警報発生用ブザー音を鳴動させる制御を行う。このように、制御盤１０のＣＰＵ１００は、警報窓点灯制御手段、及び警報窓点灯制御手段として機能する。
【００３１】
また、ＣＰＵ１００は、検知器２００の検知結果に基づいて、異常であると判断した場合、又は検知結果が異常から正常に切り替わったと判断した場合に、警報名称情報を入出力部１１０から電子計算機２０に送信する警報名称情報送信処理を行う。この警報名称情報送信処理については後述する。言い換えれば、警報が発報された場合及び警報が解除された場合に警報名称情報が、制御盤１０から電子計算機２０に送信される。
【００３２】
警報名称情報を受信した電子計算機２０は、警報名称情報を送信した制御盤１０を特定し、この特定情報と警報名称情報に基づいて印字情報を作成し、プリンタ３０に印字させる印字記録処理を実行する。この印字記録処理については後述する。
【００３３】
運転員は、点滅表示している警報窓１２の警報名称を目視により確認した後、制御盤１０に設置されている警報確認ボタン１０６を押下する。ＣＰＵ１００は、警報確認ボタン１０６が押下されたことを検出した場合には、警報窓１２を点滅から点灯したままの状態に切り替えるとともに、ブザー音を停止させる制御を行う。これにより、運転員が警報確認ボタン１０６を押下した時点で異常が解消されてない検知器２００に対応する警報窓１２は、点灯状態となる。
【００３４】
また、ＣＰＵ１００は、検知器２００の検知結果が異常から正常に切り替わった場合には、警報窓１２の表示をゆっくりとした点滅に切り替えるとともに、警報ブザー１０４から警報消灯用ブザー音を鳴動させる。また、ＣＰＵ１００は、警報消灯用ブザー音を鳴動させている状態で、警報リセットボタン１０８が押下されたことを検出した場合には、ゆっくり点灯している警報窓１２を消灯させ、かつブザー音を停止させる。
【００３５】
［警報名称情報送信処理］
次に、警報名称情報送信処理について説明する。
ＣＰＵ１００は、検知器２００の検知結果が異常であると判断した場合、又は検知器２００の検知結果が異常から正常に切り替わったと判断した場合に、警報窓によって報知される警報情報に相当する警報名称情報を作成する処理を行う。ここで、警報名称情報には、検知結果が正常から異常に切り替わった検知器２００に対して作成される発報警報名称情報と、異常状態が継続している検知器２００に対応して作成される継続警報名称情報と、検知結果が異常から正常に切り替わった検知器２００に対して作成される解除警報名称情報の３種類がある。
【００３６】
具体的に、ＣＰＵ１００は、検知結果が正常から異常に切り替わった検知器２００を検出した際に、この検知器２００に対応する警報名称に、正常から異常に切り替わった旨を示す情報を追加することによって発報警報名称情報を作成する。さらに、発報警報名称情報に対応する検知器２００以外の検知器２００において、検知結果が異常であるものを記憶領域のデータを参照しかつ抽出することによって継続警報名称情報を作成する。そして、ＣＰＵ１００は、発報警報名称情報及び継続警報名称情報を電子計算機２０に送信する処理を行う。
【００３７】
またＣＰＵ１００は、検知結果が異常から正常に切り替わった検知器２００を検出した際に、この検知器２００に対応する警報名称に、異常から正常に切り替わった旨を示す情報を追加することによって解除警報名称情報を作成する。さらに、解除警報名称情報に対応する検知器２００以外の検知器２００において、検知結果が異常であるものを記憶領域のデータを参照しかつ抽出することによって継続警報名称情報を作成する。そして、ＣＰＵ１００は、解除警報名称情報及び継続警報名称情報を電子計算機２０に送信する処理を行う。ここで、警報名称情報を受信した電子計算機２０は、個々の警報名称に追加された情報を判別することにより、警報名称が、発報警報名称情報、継続警報名称情報及び解除警報名称情報の中のどの情報に分類されているのかを識別することができる。
【００３８】
例えば、図２に示す警報窓１２において、制御盤１０のＣＰＵ１００が、５Ｃと５Ｄの警報窓１２に対応する検知器２００の検出結果が異常であると既に判断している状態で、さらに、例えば、２Ｃ、２Ｂ、２Ａの警報窓１２に対応する検知器２００の順で、検出結果が異常であると判断した場合、制御盤１０の警報表示部１０２において、図２に示すように警報窓１２が点滅する。
【００３９】
この場合、制御盤１０のＣＰＵ１００は、最初に２Ｃの警報窓１２に対応する検知器２００の検出結果が異常であると判断するため、２Ｃの警報窓１２に対応する警報名称に基づいて発報警報名称情報を作成し、５Ｃと５Ｄの警報窓１２に対応する検知器２００警報名称に基づいて継続警報名称情報を作成し、この２つの情報を警報名称情報として電子計算機２０に送信する処理を行う。次に、制御盤１０のＣＰＵ１００は、最初に２Ｂの警報窓１２に対応する検知器２００の検出結果が異常であると判断するため、２Ｂの警報窓１２に対応する警報名称に基づいて発報警報名称情報を作成し、２Ｃと５Ｃと５Ｄの警報窓１２に対応する検知器２００警報名称に基づいて継続警報名称情報を作成し、この２つの情報を警報名称情報として電子計算機２０に送信する処理を行う。次に、制御盤１０のＣＰＵ１００は、最初に２Ａの警報窓１２に対応する検知器２００の検出結果が異常であると判断するため、２Ａの警報窓１２に対応する警報名称に基づいて発報警報名称情報を作成し、２Ｂと２Ｃと５Ｃと５Ｄの警報窓１２に対応する検知器２００警報名称に基づいて継続警報名称情報を作成し、この２つの情報を警報名称情報として電子計算機２０に送信する処理を行う。したがって、プリンタ３０からは、警報窓１２の点灯状況を記録した記録紙が３枚印字出力されることになる。
【００４０】
また、制御盤１０のＣＰＵ１００が図２における５Ｃに対応する検知器２００の検出結果が異常から正常になったと判断した場合、制御盤１０の警報表示部１０２において、図２に示す警報窓１２が点滅あるいは点灯状態となるが、５Ｃの警報窓１２はゆっくり点滅してやがて消灯する。
【００４１】
この場合、制御盤１０のＣＰＵ１００は、５Ｃの警報窓１２に対応する検知器２００の検出結果が異常から正常になったと判断するため、５Ｃの警報窓１２に対応する警報名称に基づいて解除警報名称情報を作成し、２Ａと２Ｂと２Ｃと５Ｄの警報窓１２に対応する検知器２００警報名称に基づいて継続警報名称情報を作成し、この２つの情報を警報名称情報として電子計算機２０に送信する処理を行う。
【００４２】
次に、印字記録処理について、図３を参照しながら説明する。
【００４３】
制御盤１０から警報名称情報が送信され（図３中の（１））、この警報名称情報を電子計算機２０が受信すると、電子計算機２０は、受信した警報名称情報を解析し、警報名称情報に含まれる警報名称を、受信した時間とともに、電子計算機２０に備えた記憶装置２２に累積記憶する（図３中の（２））。そして、電子計算機２０は、記憶装置２２に記憶された警報名称や受信時間、及び警報名称情報を送信した制御盤１０を特定する情報に基づいて、印字情報を作成してプリンタ３０に送信する（図３中の（３））。印字情報を受信したプリンタ３０は、印字情報を記録紙に印字出力する。また、運転員の指示入力に基づいて、電子計算機２０は、記憶装置２２に記憶された警報名称や受信時間に基づいて表示情報を作成して、ディスプレイ４０に表示出力する（図３中の（４））。なお、ＣＰＵ１００は、検知器２００の検出結果の変化を検出してからすぐに、警報名称情報を送信するため、電子計算機２０が警報名称情報を受信した時間を、警報の発報時間又は解除時間とみなすことが可能である。
【００４４】
図４は、プリンタから印字出力される記録紙の内容を示す説明図である。図４に示すように、記録紙の内容は、図２に示す警報窓１２と配置が同一になるように、印字フォーマットに、表題として、警報発報情報を送信した制御盤１０を特定する情報を挿入し、各種の警報名称を挿入し、受信時間を記録時間として挿入してなるものである。さらに、発報警報名称情報の警報窓１２に相当する表示枠、継続警報名称情報の警報窓１２に相当する表示枠、解除警報名称情報の警報窓１２に相当する表示枠、及び警報の対象外の警報窓１２に相当する表示枠の背景色はそれぞれ異なっている。このため、記録紙を見た際に、発報した警報の名称、継続している警報の名称、解除された警報の名称が、表示枠の背景色によって区別されるようになり、容易に確認可能となる。
【００４５】
また、図４に示す記録紙は、制御盤１０のＣＰＵ１００が、図２において、５Ｃと５Ｄの警報窓１２に対応する検知器２００の検出結果が異常であると既に判断している状態で、さらに、例えば、２Ｃ、２Ｂ、２Ａの警報窓１２に対応する検知器２００の順で、検出結果が異常であると判断した場合における、２Ａの警報窓１２に対応する警報名称情報に基づいて印字されたものである。
【００４６】
図４に示すように、２Ａの警報窓１２に対応する表示枠の背景が、他の表示枠の背景とは異なっている。ここで、記録紙には、電子計算機２０が警報名称情報を受信した時間を記録日時として印字されているため、この記録日時において、２Ａの警報名称の設備が異常となり、警報窓１２が発光したと記録紙から判断することが可能になる。
【００４７】
また、図４に示す印字出力がプリンタ３０において実行される前に、２Ｃ、２Ｂの警報窓１２に対応する警報名称情報に基づく、記録紙への印字出力が実行されている。このため、記録紙を時系列順にファイルしていくことにより、警報窓１２の点灯状況を把握することが可能になる。
【００４８】
このように構成された第１実施形態によれば、制御盤１０が、設備において異常が発生したと判定した場合に、計算機に警報情報（警報名称情報）を送信し、計算機は警報情報（警報名称情報）を受信した時間を取得する。そして、計算機が、警報情報（警報名称情報）、受信時間、及び警報名称情報を送信した制御盤１０を特定する情報に基づいて印字情報を作成して、プリンタ３０に出力することにより、プリンタ３０から、警報名称と受信時間が印字された記録紙が出力される。これにより、設備において異常が発生した場合に、プリンタ３０から警報情報と受信時間が印字された記録紙が出力されるため、警報の発生状況を正確に把握することが可能になる。
【００４９】
また、記憶装置２２には、過去に発生した警報名称や時間が累積記録されているため、警報情報及び受信時間の履歴を閲覧することが可能になる。これにより、警告発生の傾向を分析することが可能になる。さらに、記憶装置２２に記憶された警報情報は、ディスプレイ４０に表示させることが可能であるため、記録紙に印字出力せずに容易に確認することができる。
【００５０】
［第２実施形態］
図５は、本発明の第２実施形態における警報システムの概要を示すブロック図である。なお、図１〜図４に示す第１実施形態における部材と同一の部材、あるいは同一機能の部材については、同一の符号を付すことで、詳細な説明は省略した。
【００５１】
第２実施形態の警報システム１は、図５に示すように、中央管理室内に配備されており、複数の制御盤１０及びプリンタ３０を備えている。すなわち、図１〜図４に示す第１実施形態においては、制御盤１０から警報情報が電子計算機２０に送信され、電子計算機２０が警報情報に基づいて印字情報を作成してプリンタ３０に印字出力させている。それに対して、第２実施形態においては、制御盤１０が印字情報を作成してプリンタ３０に印字出力させている。
【００５２】
ＣＰＵ１００は、検知結果が正常から異常に切り替わった検知器２００を検出した際に、この検知器２００に対応する警報名称と、検知結果が正常から異常に切り替わった検知器２００以外の検知器２００において、検知結果が異常である検知器２００に対応する警報名称と、検知結果が正常から異常に切り替わった時間と、制御盤１０を特定する情報とに基づいて印字情報を作成してプリンタ３０に送信する処理を行う。また、ＣＰＵ１００は、検知結果が異常から正常に切り替わった検知器２００を検出した際に、この検知器２００に対応する警報名称と、検知結果が異常から正常に切り替わった検知器２００以外の検知器２００において、検知結果が異常である検知器２００に対応する警報名称と、検知結果が異常から正常に切り替わった時間と、制御盤１０を特定する情報とに基づいて印字情報を作成してプリンタ３０に送信する処理を行う。このように、制御盤１０のＣＰＵ１００は、印字情報出力手段として機能する。
【００５３】
ここで、検知結果が正常から異常に切り替わった検知器２００以外の検知器２００において、検知結果が異常である検知器２００に対応する警報名称、あるいは検知結果が異常から正常に切り替わった検知器２００以外の検知器２００において、検知結果が異常である検知器２００に対応する警報名称は、記憶部１１２の検知結果記憶領域のデータを参照することによって取得することが可能である。
【００５４】
このように構成された第２実施形態によれば、図６に示すように、制御盤１０は、設備において異常が発生したと判定した場合に、警報情報（検知器２００の検知結果、記憶部１１２の検知結果記憶領域のデータ）に基づいて印字情報を作成して、プリンタ３０に送信することにより（図６中の（１））、プリンタ３０から、例えば警報名称と検知器２００の検知結果が変化した時間とが印字された記録紙が出力される（図６中の（６））。これにより、設備において異常が発生した場合あるいは異常が解消した場合に、プリンタ３０から警報名称と時間が印字された記録紙が出力されるため、警告の発生状況を正確に把握することが可能になる。
【００５５】
なお、上述した第２実施形態によれば、制御盤１０から送信される印字情報の中に、検知器２００の検知結果が切り替わった時間の情報が含まれており、プリンタ３０は、印字情報から検知器２００の検知結果が切り替わった時間を取得しているが、それに限るものではない。例えば、プリンタ３０に計時機能を設け、制御盤１０からは警報窓１２に対応する警報名称の情報からなる印字情報が送信され、プリンタ３０が印字情報を受信した時点の時間をプリンタ３０の計時機能から取得してもよい。これにより、制御盤１０のＣＰＵ１００の処理負担が軽減される。
【００５６】
［第３実施形態］
図７は、本発明の第３実施形態における警報システムの概要を示すブロック図である。なお、図６に示す第２実施形態における部材と同一の部材、あるいは同一機能の部材については、同一の符号を付すことで、詳細な説明は省略した。
【００５７】
第３実施形態の警報システム１は、図７に示すように、第２実施形態の警報システム１の制御盤１０に、プリントアウトボタン１２０を、警報確認ボタン１０６に対して独立して配備したものである。
【００５８】
第２実施形態においては、制御盤１０のＣＰＵ１００が、検知結果が正常から異常に切り替わった検知器２００を検出した場合、あるいは検知結果が異常から正常に切り替わった検知器２００を検出した場合に、印字情報を作成してプリンタ３０に印字出力させている。それに対して、第３実施形態においては、任意の時点の警報窓１２の点灯状態を、プリンタ３０に印字出力させる制御を実行させるものである。
【００５９】
例えば、図２に示すように警報窓１２が点滅表示している状態で、図７に示すように、運転員によってプリントアウトボタン１２０が押下されたとする（図７中の（１））。この場合、制御盤１０のＣＰＵ１００は、記憶部１１２の検知結果記憶領域のデータを参照することによって警報窓１２の点灯状況を把握し（図７中の（２））、警報が発生している警報窓１２に対応する警報名称を求め、プリントアウトボタン１２０が押下された時間（押下日及び時刻）とともに、制御盤１０に備えた記憶部１１２に記憶する。そして、制御盤１０のＣＰＵ１００は、記憶部１１２に記憶された警報名称や押下時間、及び制御盤１０を特定する情報に基づいて、印字情報を作成してプリンタ３０に送信する（図７中の（３））。印字情報を受信したプリンタ３０は、印字情報を記録紙に印字出力する（図７中の（４））。
【００６０】
このように構成された第３実施形態によれば、検知器２００の検知結果が正常から異常、異常から正常に切り替わった場合に、記録紙に警報窓１２の点灯状況が印字されるが、それ以外の時点における警報窓１２の点灯状況を記録する場合、あるいは制御盤１０単位で点灯状況を記録する場合には、プリントアウトボタン１２０を押下することによって、プリンタ３０から警報窓１２の点灯状況が印字された記録紙を出力することが可能になる。
【００６１】
なお、第３実施形態においては、第２の実施形態にプリントアウトボタン１２０を設けているが、第１実施形態にプリントアウトボタン１２０を設け、プリントアウトボタン１２０が押下された時点の警報名称情報及び押下時間を電子計算機２０に送信してもよい。
【００６２】
以上、本発明の実施形態について説明したが、本発明は、上述した実施形態に限るものではない。例えば、上述した実施形態においては、図４に示すような記録紙が出力されるが、警報名称及び受信時間を記載する印字フォーマットは、図４に示すものに限るものではない。例えば、第１実施形態における制御盤１０の記憶部１１２に、警報名称と警告内容のレベルとを関連付けてなる重み付けテーブルを記憶しておく。そして、制御盤１０は、警報名称情報を電子計算機２０に送信する際に、重み付けテーブルを参照して、警報名称情報に含まれる個々の警報名称のデータに対して重み付けデータを付加してから送信する。電子計算機２０においては、警報名称情報を受信したときに、重み付けデータに基づいて警報名称の警告内容のレベルを求める。そして、電子計算機２０は、レベルが高い順から記憶する印字フォーマットを用いて印字情報を作成して、プリンタ３０に送信してもよい。なお、重み付けテーブルは、電子計算機２０の記憶装置２２に記憶しておいてもよい。この場合は、制御盤１０から送信された警報名称情報に含まれる個々の警報名称と、重み付けテーブルとを対比することによって個々の警報名称のレベルを求め、レベルが高い順から記憶する印字フォーマットを用いて印字情報を作成して、プリンタ３０に送信する。これにより、警告内容のレベル別に分けて印字出力することが可能になり、分類が容易に可能となる。
【００６３】
同様に、第２、第３実施形態における制御盤１０の記憶部１１２に、警報名称と警告内容のレベルとを関連付けてなる重み付けテーブルを記憶しておく。そして、制御盤１０は、警報名称情報を電子計算機２０に送信する際に、重み付けテーブルを参照して警報名称に対応する警告内容のレベルを求め、レベルが高い順から記憶する印字フォーマットを用いて印字情報を作成して、プリンタ３０に送信してもよい。
【００６４】
また、警報名称及び受信時間を記載する印字フォーマットをプリンタ３０に持たせ、プリンタ３０のプリンタドライバによって印字フォーマットを設定してもよい。これにより、第１実施形態における電子計算機２０あるいは第２、第３実施形態における制御盤１０からは、警報名称と受信時間と制御盤１０を特定する情報とをプリンタ３０に送信し、プリンタ３０側では、プリンタ３０で予め用意した印字フォーマットに、警報名称と受信時間を挿入していくことによって印刷データの作成が行われる。そして、プリンタ３０は、この印刷データに基づいて記録紙への印字出力を実行する。これにより、第１実施形態の電子計算機２０あるいは第２、第３実施形態の制御盤１０における印字情報の作成にかかる負担を軽減することが可能になる。
【００６５】
また、本実施形態においては、複数の制御盤１０から送信される警報名称情報あるいは印字情報は、１つのプリンタ３０によって印字出力されているが、それに限らず、複数のプリンタ３０を用いてもよい。また、１つのプリンタ３０が印字出力する場合、プリンタ３０が、記録紙を分類して排出するソータ機能を備えているものであれば、例えば、制御盤１０は警報名称情報あるいは印字情報を送信する際に、制御盤１０を特定する固有情報を付けてプリンタ３０に送信し、プリンタ３０は、固有情報に基づいてソータ機能を制御し、同一の制御盤１０から送信された警報名称情報あるいは印字情報に付いては、同一の排出トレイ上に記録紙を排出させてもよい。
【符号の説明】
【００６６】
１  警報システム
１０  制御盤
１２  警報窓
２０  電子計算機
２２  記憶装置
３０  プリンタ
４０  ディスプレイ
１００  ＣＰＵ
１０２  警報表示部
１０４  警報ブザー
１０６  警報確認ボタン
１０８  警報リセットボタン
１１０  入出力部
１１２  記憶部
１２０  プリントアウトボタン
２００  検知器
【図１】
2012089091.tif 000003
【図２】
2012089091.tif 000004
【図３】
2012089091.tif 000005
【図４】
2012089091.tif 000006
【図５】
2012089091.tif 000007
【図６】
2012089091.tif 000008
【図７】
2012089091.tif 000009